(57)【要約】【課題】当該装置のみならず、投影準備状態から投影可能な状態に合わせて外部接続される機器も含めた総合的な取扱いを簡略化する。【解決手段】外部機器を接続し、該外部機器が出力する画像信号を入力すると共に、該外部機器との間で各種制御情報を入出力するＨＤＭＩ−Ｉ／Ｆ31及びＨＤＭＩコネクタ部34と、入力される画像信号に対応した光像を形成し、形成した光像を投影対象に向けて投影する投影系13〜26と、外部機器から画像信号の入力開始を予告する制御情報を入力した時点で投影系13〜26が投影可能な状態であるか否かを判断し、投影可能な状態ではないと判断した場合、投影系13〜26が投影可能な状態となるまで待機させ、投影可能な状態となった時点で外部機器に対して画像信号の出力を要求する制御情報をＨＤＭＩ−Ｉ／Ｆ31及びＨＤＭＩコネクタ部34を介して出力させる制御系27〜29とを備える。【選択図】    図２
2014041364.tif 000002
【特許請求の範囲】
【請求項１】
外部接続機器から入力される画像信号に対応した光像を形成し、形成した光像を投影対象に向けて投影する投影手段と、
上記投影手段が投影可能な状態であるか否かを判断する判断手段と、
上記判断手段で上記投影手段が投影可能な状態ではないと判断した場合、上記外部機器に対して上記投影手段が投影可能となるまでの時間を示す情報を出力する投影制御手段と
を具備したことを特徴とする投影装置。
【請求項２】
上記判断手段は、上記外部機器から画像信号の入力開始を予告する制御情報を入力した時点で、上記投影手段が投影可能な状態であるか否かを判断することを特徴とする請求項１記載の投影装置。
【請求項３】
上記投影制御手段は、上記判断手段で上記投影手段が投影可能な状態ではないと判断した場合、上記投影手段が投影可能な状態となるまで待機し、投影可能な状態となった時点で上記外部機器に対して画像信号の出力を要求する制御情報を出力することを特徴とする請求項１または２記載の投影装置。
【請求項４】
上記投影制御手段は、上記投影手段が投影可能となるまでの時間を示す情報を継続して出力することを特徴とする請求項１乃至３のいずれか一項記載の投影装置。
【請求項５】
上記投影制御手段は、上記判断手段で上記投影手段が投影可能な状態ではないと判断した場合、上記投影手段が投影可能な状態となるまでの間、上記外部機器に対して、画像信号の出力の延期を要求する制御情報を出力することを特徴とする請求項１乃至４のいずれか一項記載の投影装置。
【請求項６】
上記投影制御手段は、上記投影手段が投影可能な状態となるまで待機している間、投影可能となるまでの時間を示す情報を上記投影手段により投影させることを特徴とする請求項１乃至５のいずれか一項記載の投影装置。
【請求項７】
上記投影制御手段は、上記投影可能となるまでの時間を示す情報を上記投影手段により継続して投影させることを特徴とする請求項６記載の投影装置。
【請求項８】
上記投影手段の温度を検出する温度検出手段をさらに備え、
上記投影可能になるまでの時間を示す情報は、上記温度検出手段によって検出された温度によって算出されることを特徴とする請求項１乃至７のいずれか一項記載の投影装置。
【請求項９】
上記外部機器が出力する画像信号を入力すると共に、上記外部機器との間で各種制御情報を入出力する接続手段をさらに備え、
上記投影制御手段は、上記外部機器に対して上記投影手段が投影可能となるまでの時間を示す情報を、上記接続手段を介して出力することを特徴とする請求項１乃至８のいずれか一項記載の投影装置。
【請求項１０】
外部接続機器から入力される画像信号に対応した光像を形成し、形成した光像を投影対象に向けて投影する投影部を備える投影装置での投影方法であって、
上記投影部が投影可能な状態であるか否かを判断する判断工程と、
上記判断工程で上記投影部が投影可能な状態ではないと判断した場合、上記外部機器に対して上記投影部が投影可能となるまでの時間を示す情報を出力する投影制御工程と
を有したことを特徴とする投影方法。
【請求項１１】
外部接続機器から入力される画像信号に対応した光像を形成し、形成した光像を投影対象に向けて投影する投影部とを備える投影装置が内蔵するコンピュータが実行するプログラムであって、
上記投影部が投影可能な状態であるか否かを判断する判断ステップと、
上記判断ステップで上記投影部が投影可能な状態ではないと判断した場合、上記外部機器に対して上記投影手段が投影可能となるまでの時間を示す情報を出力する投影制御ステップと
をコンピュータに実行させることを特徴とするプログラム。
【請求項１２】
画像信号を投影装置に出力する画像出力装置であって、
表示部と、
上記投影装置に上記画像信号の再生開始を予告する制御情報を出力する制御手段と、
上記再生開始を予告する制御情報に応答する上記投影装置からの待機時間を含む再生の延期を指示する再生延期信号を受けた際に、上記待機時間を上記表示部に表示する表示制御手段と
を具備することを特徴とする画像出力装置。
【請求項１３】
上記表示制御手段は、上記待機時間をカウントダウン表示することを特徴とする請求項１２記載の画像出力装置。
【請求項１４】
上記制御手段は、上記再生開始を予告する制御情報に応答する上記投影装置からの画像データの送信要求信号を待機し、上記送信要求信号を受けた際に上記画像データの再生を開始することを特徴とする請求項１２または１３記載の画像出力装置。
【請求項１５】
上記制御手段は、上記送信要求信号を受けた際に上記画像データの再生を開始すると共に、以後画像データを順次出力することを示す信号を上記投影装置に出力することを特徴とする請求項１２乃至１４のいずれか一項記載の画像出力装置。
【請求項１６】
上記画像信号を出力すると共に、上記投影装置との間で各種制御情報を入出力する接続手段をさらに備え、
上記制御手段は、上記投影装置に対して上記画像信号の再生開始を予告する制御情報を、上記接続手段を介して出力することを特徴とする請求項１２乃至１５のいずれか一項記載の画像出力装置。
【請求項１７】
上記画像信号を出力すると共に、上記投影装置との間で各種制御情報を入出力する接続手段をさらに備え、
上記制御手段は、上記投影装置に対して上記以後画像データを順次出力することを示す信号を、上記接続手段を介して出力することを特徴とする請求項１５記載の画像出力装置。
【請求項１８】
表示部を有し、画像信号を投影装置に出力する画像出力装置での制御方法であって、
上記投影装置に上記画像信号の再生開始を予告する制御情報を出力する制御工程と、
上記再生開始を予告する制御情報に応答する上記投影装置からの待機時間を含む再生の延期を指示する再生延期信号を受けた際に、上記待機時間を上記表示部に表示する表示制御工程と
を有したことを特徴とする制御方法。
【請求項１９】
表示部を有し、画像信号を投影装置に出力する画像出力装置が内蔵するコンピュータが実行するプログラムであって、
上記投影装置に上記画像信号の再生開始を予告する制御情報を出力する制御ステップと、
上記再生開始を予告する制御情報に応答する上記投影装置からの待機時間を含む再生の延期を指示する再生延期信号を受けた際に、上記待機時間を上記表示部に表示する表示制御ステップと
をコンピュータに実行させることを特徴とするプログラム。
【発明の詳細な説明】
【技術分野】
【０００１】
本発明は、例えば外部機器から送られてくる画像信号に応じた投影動作を行なうデータプロジェクタ装置等に好適な投影装置、投影方法及びプログラム並びにその画像信号を出力する画像出力装置、制御方法に関する。
【背景技術】
【０００２】
高圧水銀灯などを光源のランプとして用いるプロジェクタ装置では、電源を投入してから一定時間が経過し、ランプの温度がある一定の値まで上昇してからでないと、安定した発光輝度での投影動作が実行できない。この点はまた、投影動作から一時的に動作を停止するスタンバイ状態でも同様であり、ランプ内部の水銀の気化状態により、スタンバイ状態から再度通常の投影動作への復帰を指示しても、元の安定した発光輝度に復帰して安定した発光輝度となるまでに通常、数十秒程度の時間を必要とする。
【０００３】
このように、動作を指示してから実際にその動作が可能となるまでに短くない時間を必要とする機器にあっては、ユーザに無用の不安感等を抱かせることになる。
【０００４】
また、プロジェクタ装置で、天板に透明部を設けたリング状の操作キーを取付け、各透明部に対応する箇所に発光部を配置し、電源ボタンがオンされるとプロジェクタ装置が輝度完了となるまでの間は各発光部を時計回りに順次点灯させ、また電源ボタンがオフされるとプロジェクタ装置が動作停止できる状態になるまで各発光部を反時計回りに順次点灯させ、各発光部の発光形態によりプロジェクタ装置の状態をユーザに伝えるようにした技術が考えられている。（例えば、特許文献１）
【先行技術文献】
【特許文献】
【０００５】
【特許文献１】特開２００５−１９５９７０号公報
【発明の概要】
【発明が解決しようとする課題】
【０００６】
上記特許文献１に記載された技術も含めて、そのプロジェクタ装置単体で投影可能となるまでの待機状態をなんらかの出力手段で報知させることは比較的容易に実現できるものと考えられる。
【０００７】
しかしながら、プロジェクタ装置は通常外部接続された他の機器から送られてくる画像信号に対応した投影動作を行なうものであり、本来の投影動作ができない状態で他の機器から画像信号が入力されると、外部機器側ではそのまま画像信号の出力が進行するため、その後に投影が可能となった時点で、外部機器側で画像信号を適当な位置まで戻して再度画像信号を出力させなければならないという不具合がある。
【０００８】
本発明は上記のような実情に鑑みてなされたもので、その目的とするところは、投影装置のみならず、投影準備状態から投影可能な状態に合わせて外部接続される画像出力装置も含めて、使いやすい投影装置、投影方法及びプログラム並びにその画像信号を出力する画像出力装置、制御方法を提供することにある。
【課題を解決するための手段】
【０００９】
請求項１記載の発明は、外部接続機器から入力される画像信号に対応した光像を形成し、形成した光像を投影対象に向けて投影する投影手段と、上記投影手段が投影可能な状態であるか否かを判断する判断手段と、上記判断手段で上記投影手段が投影可能な状態ではないと判断した場合、上記外部機器に対して上記投影手段が投影可能となるまでの時間を示す情報を出力する投影制御手段とを具備したことを特徴とする。
【００１０】
請求項２記載の発明は、上記請求項１記載の発明において、上記判断手段は、上記外部機器から画像信号の入力開始を予告する制御情報を入力した時点で、上記投影手段が投影可能な状態であるか否かを判断することを特徴とする。
請求項３記載の発明は、上記請求項１または２記載の発明において、上記投影制御手段は、上記判断手段で上記投影手段が投影可能な状態ではないと判断した場合、上記投影手段が投影可能な状態となるまで待機し、投影可能な状態となった時点で上記外部機器に対して画像信号の出力を要求する制御情報を出力することを特徴とする。
請求項４記載の発明は、上記請求項１乃至３のいずれか一項記載の発明において、上記投影制御手段は、上記投影手段が投影可能となるまでの時間を示す情報を継続して出力することを特徴とする。
【００１１】
請求項５記載の発明は、上記請求項１乃至４のいずれか一項記載の発明において、上記投影制御手段は、上記判断手段で上記投影手段が投影可能な状態ではないと判断した場合、上記投影手段が投影可能な状態となるまでの間、上記外部機器に対して、画像信号の出力の延期を要求する制御情報を出力することを特徴とする。
請求項６記載の発明は、上記請求項１乃至５のいずれか一項記載の発明において、上記投影制御手段は、上記投影手段が投影可能な状態となるまで待機している間、投影可能となるまでの時間を示す情報を上記投影手段により投影させることを特徴とする。
請求項７記載の発明は、上記請求項６記載の発明において、上記投影制御手段は、上記投影可能となるまでの時間を示す情報を上記投影手段により継続して投影させることを特徴とする。
請求項８記載の発明は、上記請求項１乃至７のいずれか一項記載の発明において、上記投影手段の温度を検出する温度検出手段をさらに備え、上記投影可能になるまでの時間を示す情報は、上記温度検出手段によって検出された温度によって算出されることを特徴とする。
請求項９記載の発明は、上記請求項１乃至８のいずれか一項記載の発明において、上記外部機器が出力する画像信号を入力すると共に、上記外部機器との間で各種制御情報を入出力する接続手段をさらに備え、上記投影制御手段は、上記外部機器に対して上記投影手段が投影可能となるまでの時間を示す情報を、上記接続手段を介して出力することを特徴とする。
【００１２】
請求項１０記載の発明は、外部接続機器から入力される画像信号に対応した光像を形成し、形成した光像を投影対象に向けて投影する投影部を備える投影装置での投影方法であって、上記投影部が投影可能な状態であるか否かを判断する判断工程と、上記判断工程で上記投影部が投影可能な状態ではないと判断した場合、上記外部機器に対して上記投影部が投影可能となるまでの時間を示す情報を出力する投影制御工程とを有したことを特徴とする。
【００１３】
請求項１１記載の発明は、外部接続機器から入力される画像信号に対応した光像を形成し、形成した光像を投影対象に向けて投影する投影部とを備える投影装置が内蔵するコンピュータが実行するプログラムであって、上記投影部が投影可能な状態であるか否かを判断する判断ステップと、上記判断ステップで上記投影部が投影可能な状態ではないと判断した場合、上記外部機器に対して上記投影手段が投影可能となるまでの時間を示す情報を出力する投影制御ステップとをコンピュータに実行させることを特徴とする。
請求項１２記載の発明は、画像信号を投影装置に出力する画像出力装置であって、表示部と、上記投影装置に上記画像信号の再生開始を予告する制御情報を出力する制御手段と、上記再生開始を予告する制御情報に応答する上記投影装置からの待機時間を含む再生の延期を指示する再生延期信号を受けた際に、上記待機時間を上記表示部に表示する表示制御手段とを具備することを特徴とする。
請求項１３記載の発明は、上記請求項１２記載の発明において、上記表示制御手段は、上記待機時間をカウントダウン表示することを特徴とする。
請求項１４記載の発明は、上記請求項１２または記載の発明において、上記制御手段は、上記再生開始を予告する制御情報に応答する上記投影装置からの画像データの送信要求信号を待機し、上記送信要求信号を受けた際に上記画像データの再生を開始することを特徴とする。
請求項１５記載の発明は、上記請求項１２乃至１４のいずれか一項記載の発明において、上記制御手段は、上記送信要求信号を受けた際に上記画像データの再生を開始すると共に、以後画像データを順次出力することを示す信号を上記投影装置に出力することを特徴とする。
請求項１６記載の発明は、上記請求項１２乃至１５のいずれか一項記載の発明において、上記画像信号を出力すると共に、上記投影装置との間で各種制御情報を入出力する接続手段をさらに備え、上記制御手段は、上記投影装置に対して上記画像信号の再生開始を予告する制御情報を、上記接続手段を介して出力することを特徴とする。
請求項１７記載の発明は、上記請求項１５記載の発明において、上記画像信号を出力すると共に、上記投影装置との間で各種制御情報を入出力する接続手段をさらに備え、上記制御手段は、上記投影装置に対して上記以後画像データを順次出力することを示す信号を、上記接続手段を介して出力することを特徴とする。
請求項１８記載の発明は、表示部を有し、画像信号を投影装置に出力する画像出力装置での制御方法であって、上記投影装置に上記画像信号の再生開始を予告する制御情報を出力する制御工程と、上記再生開始を予告する制御情報に応答する上記投影装置からの待機時間を含む再生の延期を指示する再生延期信号を受けた際に、上記待機時間を上記表示部に表示する表示制御工程とを有したことを特徴とする。
請求項１９記載の発明は、表示部を有し、画像信号を投影装置に出力する画像出力装置が内蔵するコンピュータが実行するプログラムであって、上記投影装置に上記画像信号の再生開始を予告する制御情報を出力する制御ステップと、上記再生開始を予告する制御情報に応答する上記投影装置からの待機時間を含む再生の延期を指示する再生延期信号を受けた際に、上記待機時間を上記表示部に表示する表示制御ステップとをコンピュータに実行させることを特徴とする。
【発明の効果】
【００１４】
本発明によれば、投影装置のみならず、投影準備状態から投影可能な状態に合わせて外部接続される画像出力装置も含めて、使いやすいものとすることが可能となる。
【図面の簡単な説明】
【００１５】
【図１】本発明の第１の実施形態に係るデータプロジェクタ装置を含む投影環境を例示する図。
【図２】同実施形態に係るデータプロジェクタ装置の機能回路構成を示すブロック図。
【図３】同実施形態に係る外部機器とデータプロジェクタ装置との間の投影動作時の処理内容を示すシーケンス図。
【図４】同実施形態に係る投影待機状態で投影する待機経過状態を示す画像を例示する図。
【図５】本発明の第２の実施形態に係る外部機器とデータプロジェクタ装置との間の投影動作時の処理内容を示すシーケンス図。
【発明を実施するための形態】
【００１６】
（第１の実施形態） 
以下本発明をＤＬＰ（Ｄｉｇｉｔａｌ Ｌｉｇｈｔ Ｐｒｏｃｅｓｓｉｎｇ）（登録商標）方式のデータプロジェクタ装置に適用した場合の第１の実施形態について図面を参照して説明する。
【００１７】
図１は、本実施形態に係るデータプロジェクタ装置１を用いた投影環境を例示するものである。同図では、投影装置であるデータプロジェクタ装置１に対し、外部機器として例えばＤＶＤ（Ｄｉｇｉｔａｌ Ｖｅｒｓａｔｉｌｅ Ｄｉｓｃ）プレーヤ２をＨＤＭＩ（Ｈｉｇｈ−Ｄｅｆｉｎｉｔｉｏｎ Ｍｕｌｔｉｍｅｄｉａ Ｉｎｔｅｒｆａｃｅ）（登録商標）ケーブル３により接続する。
【００１８】
上記ＤＶＤプレーヤ２に画像信号を記録したＤＶＤ４をセットし、このＤＶＤプレーヤ２あるいは図示しないこのＤＶＤプレーヤ２専用のリモートコントローラの「ＰＬＡＹ」ボタンを操作することにより、ＤＶＤ４に記録された画像信号が読出され、ＨＤＭＩケーブル３を介してデータプロジェクタ装置１へ送られる。
【００１９】
データプロジェクタ装置１は、送られてきた画像信号に対応して光像を形成し、形成した光像を投影対象となるスクリーンＳＣＲに向けて投影する。
【００２０】
続いて図２により上記データプロジェクタ装置１の概略機能構成を説明する。 
同図で、１１は入力コネクタ部であり、例えばピンジャック（ＲＣＡ）タイプのビデオ入力端子、及びＤ−ｓｕｂ１５タイプのＲＧＢ入力端子を備える。
【００２１】
入力コネクタ部１１より入力される各種規格の画像信号は、入力インタフェース（Ｉ／Ｆ）１２、システムバスＳＢを介し、スケーラとも称される画像変換部１３で投影に適した所定のフォーマットの画像信号に統一された後に、投影画像処理部１４へ送られる。
【００２２】
この際、ＯＳＤ（Ｏｎ Ｓｃｒｅｅｎ Ｄｉｓｐｌａｙ）用の各種キャラクタやポインタ、さらには後述する時間情報に応じたフレーム画像等も必要に応じて画像信号に重畳加工するべく投影画像処理部１４へ送られる。
【００２３】
投影画像処理部１４は、送られてきた画像信号をビデオＲＡＭ１５に展開して記憶させた上で、このビデオＲＡＭ１５の記憶内容から投影に適したビデオ信号を生成する。投影画像処理部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２４】
一方、リフレクタ１７内に配置された、例えば超高圧水銀灯を用いた光源ランプ１８が高輝度の白色光を出射する。光源ランプ１８の出射した白色光は、マイクロミラー素子１６での表示に同期して高速回転するカラーホイール１９を介して時分割で原色に着色され、インテグレータ２０で輝度分布が均一な光束とされた後にミラー２１で全反射して上記マイクロミラー素子１６に照射される。
【００２５】
そして、マイクロミラー素子１６での反射光で光像が形成され、形成された光像が光学レンズユニット２２を介して、投影対象となる上記スクリーンＳＣＲに投影される。
【００２６】
光学レンズユニット２２は、マイクロミラー素子１６で形成された光像を拡大してスクリーン等の対象に投影するものであり、合焦位置及びズーム位置（投影画角）を任意に可変できるものとする。
【００２７】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００２８】
また、上記光源ランプ１８の点灯駆動、上記カラーホイール１９用のモータ（Ｍ）２４の回転駆動、及び上記ステッピングモータ２３の回動駆動をいずれも投影光処理部２５が実行する。
【００２９】
加えてこの投影光処理部２５は、リフレクタ１７に取付けられて光源ランプ１８の温度を検出する温度センサ２６からの温度データを入力する。
【００３０】
上記各回路の動作すべてをＣＰＵ２７が制御する。このＣＰＵ２７は、ＤＲＡＭで構成されたメインメモリ２８、動作プログラムや各種定型データ等を記憶した電気的書換可能な不揮発性メモリでなるプログラムメモリ２９を用いてこのデータプロジェクタ装置１０内の制御動作を実行する。
【００３１】
上記ＣＰＵ２７は、操作部３０からの操作信号に応じて各種投影動作を実行する。この操作部３０は、データプロジェクタ装置１の筐体本体に設けられたキー操作部と、このデータプロジェクタ装置１専用の図示しないリモートコントローラからの赤外線変調信号を受信する赤外線受信部とを含み、ユーザが直接または該リモートコントローラを介して操作したキーに基づくキーコード信号をＣＰＵ２７へ直接出力する。
【００３２】
上記ＣＰＵ２７はさらに、上記システムバスＳＢを介してＨＤＭＩインタフェース（Ｉ／Ｆ）３１、画像記憶部３２、及び音声処理部３３と接続される。
【００３３】
ＨＤＭＩインタフェース３１は、上記入力コネクタ部１１と併設されるＨＤＭＩコネクタ部３４を介して外部接続される機器から送られてくる画像データの受信処理、及び同外部機器との間でＨＤＭＩ−ＣＥＣ（Ｃｏｎｓｕｍｅｒ Ｅｌｅｃｔｒｏｎｉｃｓ Ｃｏｎｔｒｏｌ）規格に則った制御データの送受信処理を行なう。
【００３４】
画像記憶部３２は、ＣＰＵ２７の制御の下に上記入力コネクタ部１１またはＨＤＭＩコネクタ部３４から入力した画像データを定数フレーム分記憶する。
【００３５】
音声処理部３３は、ＰＣＭ音源等の音源回路を備え、投影動作時に与えられる音声データをアナログ化し、スピーカ部３５を駆動して拡声放音させ、あるいは必要によりビープ音等を発生させる。
【００３６】
次に上記実施形態の動作について説明する。 
図３は、上記図１で示した如くデータプロジェクタ装置１をＤＶＤプレーヤ２とＨＤＭＩケーブル３により接続した状態で実行する、ＨＤＭＩ−ＣＥＣ規格を利用した画像データの処理に関する処理内容を示すものである。データプロジェクタ装置１側での制御は、すべてＣＰＵ２７がプログラムメモリ２９に記憶された動作プログラムを読出してメインメモリ２８に展開しながら実行する。
【００３７】
動作当初に、ＨＤＭＩソース装置として機能するＤＶＤプレーヤ２側で画像の再生を指示する「ＰＬＡＹ」ボタンが操作されると（ステップＳ１０１）、まずＤＶＤプレーヤ２からＨＤＭＩケーブル３中のＣＥＣラインを介して、ＨＤＭＩシンク装置として機能するデータプロジェクタ装置１に、「Ｉｍａｇｅ Ｖｉｅｗ Ｏｎ」信号が送出される。
【００３８】
この信号を受けたデータプロジェクタ装置１では、その時点で光源ランプ１８の点灯を停止しているスタンバイ状態か否かを判断する（ステップＲ１０１）。 
ここでスタンバイ状態であると判断した場合、データプロジェクタ装置１では直ちにスタンバイ状態を解除して投影光処理部２５により光源ランプ１８を点灯させる（ステップＲ１０２）。
【００３９】
以後データプロジェクタ装置１では、例えば温度センサ２６で検出する光源ランプ１８の温度により、光源ランプ１８が安定した輝度で発光可能な状態となったか否かを繰返し判断することで（ステップＲ１０３）、光源ランプ１８が規定の明るさで発光するのを待機する。
【００４０】
そして、光源ランプ１８が規定の明るさで発光するようになった時点で、上記ステップＲ１０３でそれを判断し、あらためて上記「Ｉｍａｇｅ Ｖｉｅｗ Ｏｎ」信号に応答する画像データの送信要求信号として「Ｒｅｑｕｅｓｔ Ａｃｔｉｖｅ Ｓｏｕｒｃｅ」信号を、ＨＤＭＩケーブル３中のＣＥＣラインを介してＤＶＤプレーヤ２へ送出する。
【００４１】
ＤＶＤプレーヤ２側では、上記「Ｉｍａｇｅ Ｖｉｅｗ Ｏｎ」信号の送信後、データプロジェクタ装置１からの応答があるのを待機しており、応答として上記「Ｒｅｑｕｅｓｔ Ａｃｔｉｖｅ Ｓｏｕｒｃｅ」信号を受けることで、上記「ＰＬＡＹ」ボタンの操作に対応した再生動作を開始する一方で（ステップＳ１０２）、以後画像データを順次出力することを示す「Ａｃｔｉｖｅ Ｓｏｕｒｃｅ」信号をデータプロジェクタ装置１へ送信する。
【００４２】
この後、ＤＶＤプレーヤ２は再生動作に伴う画像データをＨＤＭＩケーブル３を介してデータプロジェクタ装置１へ送出し続ける。
【００４３】
データプロジェクタ装置１側では、上記「Ｒｅｑｕｅｓｔ Ａｃｔｉｖｅ Ｓｏｕｒｃｅ」信号の送信後にＤＶＤプレーヤ２側から受信する「Ａｃｔｉｖｅ Ｓｏｕｒｃｅ」信号をトリガとして、以後、画素データのソースとしてＨＤＭＩコネクタ部３４からの画像データを選択した上で、順次受信される画像データに基づいた光像をマイクロミラー素子１６で形成し、レンズユニット２２よりスクリーンＳＣＲに向けて投影する動作に移行する（ステップＲ１０４）。
【００４４】
なお、データプロジェクタ装置１側で上記ステップＲ１０１にて光源ランプ１８の点灯を停止しているスタンバイ状態ではないと判断した場合には、既に光源ランプ１８を点灯して充分な明るさでの投影が可能であり、即時投影動作を開始させるべく上記ステップＲ１０２，Ｒ１０３の処理を省略して、ＤＶＤプレーヤ２側へ「Ａｃｔｉｖｅ Ｓｏｕｒｃｅ」信号を送信する。
【００４５】
このように上記本実施形態によれば、ＨＤＭＩ−ＣＥＣ規格を利用し、データプロジェクタ装置１の光源ランプ１８のスタンバイ状態に対応してＤＶＤプレーヤ２の再生を指示する「ＰＬＡＹ」ボタン操作後、確実に投影が可能であると判断したタイミングで投影動作が開始されることになるため、データプロジェクタ装置１のみならず、投影準備状態から投影可能な状態に合わせて外部接続されるＤＶＤプレーヤ２側の操作も含め、総合的に取扱いを簡略化することが可能となる。
【００４６】
なお、上記実施形態の動作では、データプロジェクタ装置１側での投影動作が可能となるまでの間、単にデータプロジェクタ装置１とＤＶＤプレーヤ２間で制御信号の送受を行なうのみである場合について説明したが、その間、ＤＶＤプレーヤ２で「ＰＬＡＹ」ボタンを操作してこのデータプロジェクタ装置１で投影動作を開始するのを待っているユーザにとっては、全く応答が得られないため、不安となるか、あるいは苛々すると思われる。
【００４７】
そのため、光源ランプ１８がまだ充分な発光輝度となっておらず、画面全体が暗く、且つ鮮鋭な投影画像が得られない状態ではあるが、あえて待機用に投影可能となるまでの経過を示す画像を投影させるものとしてもよい。
【００４８】
この場合、投影可能となるまでの時間は、例えば代表的な室温（例えば１５°Ｃ）での全くの電源オフ状態から光源ランプ１８が所定の温度となって投影可能となるまでの参照時間を予めプログラムメモリ２９に記憶しておき、温度センサ２６で検出する現在の光源ランプ１８の温度から光源ランプ１８が投影可能となるまでの時間を算出することにより得られる。
【００４９】
図４（Ａ）は、予め登録しておいたロゴ「ＡＢＣＤＥ．ｃｏｍ」と共に数値によるカウントダウンを行なう画像をスクリーンＳＣＲに投影する場合を例示するものである。同図（Ａ）では、投影される数値が順次小さくなることにより、投影開始となるまでのおおよその時間をユーザを含めてこの画像を見ているものが把握できるため、無用な不安等を招くことなく、投影が開始されるのを待機することができる。
【００５０】
図４（Ｂ）は、予め登録しておいたロゴ「ＡＢＣＤＥ．ｃｏｍ」と共に伸長するバーグラフを用いた画像をスクリーンＳＣＲに投影する場合を例示するものである。同図（Ｂ）でも、投影されるバーグラフが順次延びて画像中の枠一杯まで達することにより、投影開始となるまでのおおよその時間をユーザを含めてこの画像を見ているものが把握できるため、無用な不安等を招くことなく、投影が開始されるのを待機することができる。
【００５１】
このように、投影可能な状態となるまで待機している間、投影可能となるまでの経過を示す画像を上記図４で示した如く投影させることにより、待ち時間の経過状況を視覚的に表示するため、待機中の不安や苛々を抑制できる。
【００５２】
（第２の実施形態） 
以下本発明をＤＬＰ（登録商標）方式のデータプロジェクタ装置に適用した場合の第２の実施形態について図面を参照して説明する。
【００５３】
なお、本実施形態に係るデータプロジェクタ装置１′を用いた投影環境については上記図１と、データプロジェクタ装置１′の概略機能構成については上記図２と基本的に同様であるため、同一部分には同一符号を用いるものとして、その図示と説明とを省略する。
【００５４】
次に上記実施形態の動作について説明する。 
図５は、上記図１で示した如くデータプロジェクタ装置１′をＤＶＤプレーヤ２とＨＤＭＩケーブル３により接続した状態で実行する、ＨＤＭＩ−ＣＥＣ規格を利用した画像データの処理に関する処理内容を示すものである。データプロジェクタ装置１′側での制御は、すべてＣＰＵ２７がプログラムメモリ２９に記憶された動作プログラムを読出してメインメモリ２８に展開しながら実行する。
【００５５】
動作当初に、ＨＤＭＩソース装置として機能するＤＶＤプレーヤ２側で画像の再生を指示する「ＰＬＡＹ」ボタンが操作されると（ステップＳ２０１）、まずＤＶＤプレーヤ２からＨＤＭＩケーブル３中のＣＥＣラインを介して、ＨＤＭＩシンク装置として機能するデータプロジェクタ装置１′に、「Ｉｍａｇｅ Ｖｉｅｗ Ｏｎ」信号が送出される。
【００５６】
この信号を受けたデータプロジェクタ装置１′では、その時点で光源ランプ１８の点灯を停止しているスタンバイ状態か否かを判断する（ステップＲ２０１）。 
ここでスタンバイ状態であると判断した場合、データプロジェクタ装置１′では直ちにスタンバイ状態を解除して投影光処理部２５により光源ランプ１８を点灯させる（ステップＲ２０２）。
【００５７】
以後データプロジェクタ装置１′では、例えば温度センサ２６で検出する光源ランプ１８の温度により、光源ランプ１８が安定した輝度で発光可能な状態となったか否かを繰返し判断することで（ステップＲ２０３）、光源ランプ１８が規定の明るさで発光するのを待機する。
【００５８】
合わせてデータプロジェクタ装置１′では、光源ランプ１８が規定の明るさで発光するまでに要するおおよその時間情報を算出し、ＨＤＭＩケーブル３中のＣＥＣラインを介して、ＤＶＤプレーヤ２への延期を指示する「Ｖｅｎｄｏｒ Ｃｏｍｍａｎｄ Ｗｉｔｈ ＩＤ」信号中に算出した結果を含めて送出する。
【００５９】
この場合、投影可能となるまでの時間は、例えば代表的な室温（例えば１５°Ｃ）での全くの電源オフ状態から光源ランプ１８が所定の温度となって投影可能となるまでの参照時間を予めプログラムメモリ２９に記憶しておき、温度センサ２６で検出する現在の光源ランプ１８の温度から光源ランプ１８が投影可能となるまでの時間を算出することにより得られる。
【００６０】
これを受けたＤＶＤプレーヤ２では、受けた「Ｖｅｎｄｏｒ Ｃｏｍｍａｎｄ Ｗｉｔｈ ＩＤ」信号中に含まれている時間情報に基づいて、例えば液晶表示パネルやＬＥＤ表示、あるいは有機ＥＬパネル等の表示部により待ち時間の表示を行なう（ステップＳ２０２）。
【００６１】
このデータプロジェクタ装置１からＤＶＤプレーヤ２への時間情報の送信とそれに基づいたＤＶＤプレーヤ２での待ち時間の表示は継続的に実施され、結果としてＤＶＤプレーヤ２では待ち時間のカウントダウン表示を行なうこととなる。
【００６２】
その後、光源ランプ１８が規定の明るさで発光するようになった時点で、上記ステップＲ２０３でそれを判断し、それまで送信し続けていた上記「Ｖｅｎｄｏｒ Ｃｏｍｍａｎｄ Ｗｉｔｈ ＩＤ」信号に代えて、あらためて上記「Ｉｍａｇｅ Ｖｉｅｗ Ｏｎ」信号に応答する画像データの送信要求信号として「Ｒｅｑｕｅｓｔ Ａｃｔｉｖｅ Ｓｏｕｒｃｅ」信号を、ＨＤＭＩケーブル３中のＣＥＣラインを介してＤＶＤプレーヤ２へ送出する。
【００６３】
ＤＶＤプレーヤ２側では、上記「Ｖｅｎｄｏｒ Ｃｏｍｍａｎｄ Ｗｉｔｈ ＩＤ」信号に代えてデータプロジェクタ装置１′から「Ｒｅｑｕｅｓｔ Ａｃｔｉｖｅ Ｓｏｕｒｃｅ」信号を受けることで、上記「ＰＬＡＹ」ボタンの操作に対応した再生動作を開始する一方で（ステップＳ２０３）、以後画像データを順次出力することを示す「Ａｃｔｉｖｅ Ｓｏｕｒｃｅ」信号をデータプロジェクタ装置１′へ送信する。
【００６４】
この後、ＤＶＤプレーヤ２は再生動作に伴う画像データをＨＤＭＩケーブル３を介してデータプロジェクタ装置１′へ送出し続ける。
【００６５】
データプロジェクタ装置１′側では、上記「Ｒｅｑｕｅｓｔ Ａｃｔｉｖｅ Ｓｏｕｒｃｅ」信号の送信後にＤＶＤプレーヤ２側から受信する「Ａｃｔｉｖｅ Ｓｏｕｒｃｅ」信号をトリガとして、以後、画素データのソースとしてＨＤＭＩコネクタ部３４からの画像データを選択した上で、順次受信される画像データに基づいた光像をマイクロミラー素子１６で形成し、レンズユニット２２よりスクリーンＳＣＲに向けて投影する動作に移行する（ステップＲ２０４）。
【００６６】
なお、データプロジェクタ装置１′側で上記ステップＲ２０１にて光源ランプ１８の点灯を停止しているスタンバイ状態ではないと判断した場合には、既に光源ランプ１８を点灯して充分な明るさでの投影が可能であり、即時投影動作を開始させるべく上記ステップＲ２０２，Ｒ２０３の処理を省略して、ＤＶＤプレーヤ２側へ「Ａｃｔｉｖｅ Ｓｏｕｒｃｅ」信号を送信する。
【００６７】
このように上記本実施形態によれば、投影待機状態で充分に明瞭な投影を行なうことができないデータプロジェクタ装置１′に代えて、ＤＶＤプレーヤ２側で投影可能となるまでの経過を示す表示を行なうことにより、待ち時間の経過状況を視覚的に表示するため、待機中の不安や苛々を抑制できる。
【００６８】
なお、上記第１及び第２の実施形態ではいずれも、データプロジェクタ装置１（１′）をＤＶＤプレーヤ２と接続した場合について説明したが、本発明は画像信号をデータプロジェクタ装置１に出力する再生装置としてＤＶＤプレーヤ２に限定するものではなく、各種ビデオレコーダやムービーカメラを含むデジタルカメラ等であってもよい。
【００６９】
また、上記第１及び第２の実施形態では、データプロジェクタ装置１（１′）とＤＶＤプレーヤ２とを接続する接続手段としてＨＤＭＩ規格に則り、ＣＥＣラインを制御線として利用する場合について説明したが、本発明はこれに限るものでもなく、例えばＢｌｕｅｔｏｏｔｈ（登録商標）やＩＥＥＥ８０２．１１ａ／ｂ／ｇに代表される無線ＬＡＮ技術等を使用しても同様の機能を実現できる。
【００７０】
さらに、本発明は投影装置としてＤＬＰ（登録商標）方式のデータプロジェクタ装置に適用した場合について説明したが、本発明は光像を形成する素子等を限定するものではなく、マイクロミラー素子１６に代えて透過型のカラー液晶パネルを用いる液晶プロジェクタや、光源となるＲＧＢの各ＬＥＤ群が色成分に合わせて時分割で発光することにより、モノクロの液晶パネルでカラーの光像を形成して投影するフィールド・シーケンシャル方式のプロジェクタ装置など、その他の投影装置にも同様に適用可能となる。
【００７１】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７２】
１，１′…データプロジェクタ装置、２…ＤＶＤプレーヤ、３…ＨＤＭＩケーブル、４…ＤＶＤ、１１…入力コネクタ部、１２…入力インタフェース（Ｉ／Ｆ）、１３…画像変換部、１４…投影画像処理部、１５…ビデオＲＡＭ、１６…マイクロミラー素子（ＳＯＭ）、１７…リフレクタ、１８…光源ランプ、１９…カラーホイール、２０…インテグレータ、２１…ミラー、２２…光学レンズユニット、２３…ステッピングモータ（Ｍ）、２４…モータ（Ｍ）、２５…投影光処理部、２６…温度センサ、２７…ＣＰＵ、２８…メインメモリ、２９…プログラムメモリ、３０…操作部、３１…ＨＤＭＩインタフェース（Ｉ／Ｆ）、３２…画像記憶部、３３…音声処理部、３４…ＨＤＭＩコネクタ部、３５…スピーカ部、ＳＢ…システムバス、ＳＣＲ…スクリーン。
【図１】
2014041364.tif 000003
【図２】
2014041364.tif 000004
【図３】
2014041364.tif 000005
【図４】
2014041364.tif 000006
【図５】
2014041364.tif 000007
【手続補正書】
【提出日】平成25年10月22日(2013.10.22)
【手続補正２】
【補正対象書類名】明細書
【補正対象項目名】０００１
【補正方法】変更
【補正の内容】
【０００１】
本発明は、例えば画像信号に応じた投影動作を行なうデータプロジェクタ装置等に好適な投影装置への画像信号を出力する画像出力装置、制御方法及びプログラムに関する。
【手続補正３】
【補正対象書類名】明細書
【補正対象項目名】０００８
【補正方法】変更
【補正の内容】
【０００８】
本発明は上記のような実情に鑑みてなされたもので、その目的とするところは、使いやすい画像信号を出力する画像出力装置、制御方法及びプログラムを提供することにある。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項１記載の発明は、画像信号を投影装置に出力する画像出力装置であって、表示部と、上記投影装置に上記画像信号の再生開始を予告する制御情報を出力する制御手段と、上記再生開始を予告する制御情報に応答する上記投影装置からの待機時間を含む再生の延期を指示する再生延期信号を受けた際に、上記待機時間を上記表示部に表示する表示制御手段とを具備することを特徴とする。
請求項２記載の発明は、上記請求項１記載の発明において、上記表示制御手段は、上記待機時間をカウントダウン表示することを特徴とする。
請求項３記載の発明は、上記請求項１または２記載の発明において、上記制御手段は、上記再生開始を予告する制御情報に応答する上記投影装置からの画像データの送信要求信号を待機し、上記送信要求信号を受けた際に上記画像データの再生を開始することを特徴とする。
請求項４記載の発明は、上記請求項１乃至３のいずれか一項記載の発明において、上記制御手段は、上記送信要求信号を受けた際に上記画像データの再生を開始すると共に、以後画像データを順次出力することを示す信号を上記投影装置に出力することを特徴とする。
請求項５記載の発明は、上記請求項１乃至４のいずれか一項記載の発明において、上記画像信号を出力すると共に、上記投影装置との間で各種制御情報を入出力する接続手段をさらに備え、上記制御手段は、上記投影装置に対して上記画像信号の再生開始を予告する制御情報を、上記接続手段を介して出力することを特徴とする。
請求項６記載の発明は、上記請求項１乃至５のいずれか一項記載の発明において、上記画像信号を出力すると共に、上記投影装置との間で各種制御情報を入出力する接続手段をさらに備え、上記制御手段は、上記投影装置に対して上記以後画像データを順次出力することを示す信号を、上記接続手段を介して出力することを特徴とする。
請求項７記載の発明は、表示部を有し、画像信号を投影装置に出力する画像出力装置での制御方法であって、上記投影装置に上記画像信号の再生開始を予告する制御情報を出力する制御工程と、上記再生開始を予告する制御情報に応答する上記投影装置からの待機時間を含む再生の延期を指示する再生延期信号を受けた際に、上記待機時間を上記表示部に表示する表示制御工程とを有したことを特徴とする。
請求項８記載の発明は、表示部を有し、画像信号を投影装置に出力する画像出力装置が内蔵するコンピュータが実行するプログラムであって、上記投影装置に上記画像信号の再生開始を予告する制御情報を出力する制御ステップと、上記再生開始を予告する制御情報に応答する上記投影装置からの待機時間を含む再生の延期を指示する再生延期信号を受けた際に、上記待機時間を上記表示部に表示する表示制御ステップとをコンピュータに実行させることを特徴とする。
【手続補正９】
【補正対象書類名】特許請求の範囲
【補正対象項目名】全文
【補正方法】変更
【補正の内容】
【特許請求の範囲】
【請求項１】
画像信号を投影装置に出力する画像出力装置であって、
表示部と、
上記投影装置に上記画像信号の再生開始を予告する制御情報を出力する制御手段と、
上記再生開始を予告する制御情報に応答する上記投影装置からの待機時間を含む再生の延期を指示する再生延期信号を受けた際に、上記待機時間を上記表示部に表示する表示制御手段と
を具備することを特徴とする画像出力装置。
【請求項２】
上記表示制御手段は、上記待機時間をカウントダウン表示することを特徴とする請求項１記載の画像出力装置。
【請求項３】
上記制御手段は、上記再生開始を予告する制御情報に応答する上記投影装置からの画像データの送信要求信号を待機し、上記送信要求信号を受けた際に上記画像データの再生を開始することを特徴とする請求項１または２記載の画像出力装置。
【請求項４】
上記制御手段は、上記送信要求信号を受けた際に上記画像データの再生を開始すると共に、以後画像データを順次出力することを示す信号を上記投影装置に出力することを特徴とする請求項１乃至３のいずれか一項記載の画像出力装置。
【請求項５】
上記画像信号を出力すると共に、上記投影装置との間で各種制御情報を入出力する接続手段をさらに備え、
上記制御手段は、上記投影装置に対して上記画像信号の再生開始を予告する制御情報を、上記接続手段を介して出力することを特徴とする請求項１乃至４のいずれか一項記載の画像出力装置。
【請求項６】
上記画像信号を出力すると共に、上記投影装置との間で各種制御情報を入出力する接続手段をさらに備え、
上記制御手段は、上記投影装置に対して上記以後画像データを順次出力することを示す信号を、上記接続手段を介して出力することを特徴とする請求項１乃至５のいずれか一項記載の画像出力装置。
【請求項７】
表示部を有し、画像信号を投影装置に出力する画像出力装置での制御方法あって、
上記投影装置に上記画像信号の再生開始を予告する制御情報を出力する制御工程と、
上記再生開始を予告する制御情報に応答する上記投影装置からの待機時間を含む再生の延期を指示する再生延期信号を受けた際に、上記待機時間を上記表示部に表示する表示制御工程と
を有したことを特徴とする制御方法。
【請求項８】
表示部を有し、画像信号を投影装置に出力する画像出力装置が内蔵するコンピュータが実行するプログラムであって、
上記投影装置に上記画像信号の再生開始を予告する制御情報を出力する制御ステップと、
上記再生開始を予告する制御情報に応答する上記投影装置からの待機時間を含む再生の延期を指示する再生延期信号を受けた際に、上記待機時間を上記表示部に表示する表示制御ステップと
をコンピュータに実行させることを特徴とするプログラム。